(57)【要約】【課題】浴槽内の水温低下を助長することなく、少ない消費電力で浴槽内の水温を求めることのできる風呂温度推定装置およびこれを用いた風呂給湯器を提供する。【解決手段】追焚動作停止後における温度センサ４４の検出水温の降下特性と浴槽内の水温の降下特性とを実測し、浴槽水温度と検出水温との相関を予め参照テーブル５７に記憶しておく。参照テーブルは、初期温度別、外気温度別に用意してある。水温推定手段５４は、これらの中から循環ポンプ停止時に温度センサ４４の検出する初期温度と外気温センサ４７の検出する外気温度とに対応する参照テーブルを選択し、その後は、この参照テーブルを温度センサ４４の検出水温で参照することにより、浴槽水温度の推定値を求める。【選択図】図１
2004239500.tif 000002
【特許請求の範囲】
【請求項１】
浴槽内の水温を推定する風呂温度推定装置において、
風呂給湯器の加熱部を経由して浴槽水を循環させるための追焚循環経路のうち、前記風呂給湯器の本体内部に存する部分に取り付けた温度センサと、
浴槽内の水温を推定する水温推定手段とを備え、
前記水温推定手段は、前記追焚循環経路を通じて浴槽水を循環させる循環ポンプを停止させた後における浴槽内の水温を、前記循環ポンプを停止させたままの状態で前記温度センサの検出する水温に基づいて推定する
ことを特徴とする風呂温度推定装置。
【請求項２】
前記水温推定手段は、前記循環ポンプを停止させた後における浴槽内の水温の降下特性と前記温度センサの検出する水温の降下特性との相関であって予め求めたものに基づいて、前記循環ポンプを停止させたままの状態で前記温度センサの検出する水温から前記循環ポンプを停止させた後における浴槽内の水温を推定する
ことを特徴とする請求項１に記載の風呂温度推定装置。
【請求項３】
浴槽内の水温を推定する風呂温度推定装置において、
風呂給湯器の加熱部を経由して浴槽水を循環させるための追焚循環経路のうち、前記風呂給湯器の本体内部に存する部分に取り付けた温度センサと、
外気温度を検出する外気温センサと、
浴槽内の水温を推定する水温推定手段とを備え、
前記水温推定手段は、前記追焚循環経路を通じて浴槽水を循環させる循環ポンプを停止させた後における浴槽内の水温を、前記循環ポンプを停止させたままの状態で前記温度センサの検出する水温と前記外気温センサの検出する外気温度に基づいて推定する
ことを特徴とする風呂温度推定装置。
【請求項４】
前記水温推定手段は、循環ポンプを停止させた後における浴槽内の水温の降下特性と前記温度センサの検出する水温の降下特性との相関であって外気温度別に予め求めたものに基づいて、前記循環ポンプを停止させたままの状態で前記温度センサの検出する水温と前記外気温センサの検出する外気温度とから前記循環ポンプを停止させた後における浴槽内の水温を推定する
ことを特徴とする請求項３に記載の風呂温度推定装置。
【請求項５】
浴槽内の水温を推定する風呂温度推定装置において、
風呂給湯器の加熱部を経由して浴槽水を循環させるための追焚循環経路のうち、前記風呂給湯器の本体内部に存する部分に取り付けた温度センサと、
外気温度を検出する外気温センサと、
前記追焚循環経路を通じて浴槽水を循環させる循環ポンプを停止させた後の経過時間を計測する計時手段と
浴槽内の水温を推定する水温推定手段とを備え、
前記水温推定手段は、前記循環ポンプを停止させた後における浴槽内の水温を、前記循環ポンプを停止させたままの状態で前記温度センサの検出する水温と前記外気温センサの検出する外気温度と前記計時手段の計時する経過時間とに基づいて推定する
ことを特徴とする風呂温度推定装置。
【請求項６】
前記水温推定手段は、前記循環ポンプを停止させた後における浴槽内の水温の降下特性と前記温度センサの検出する水温の降下特性との相関であって外気温度別に予め求めたものを、前記外気温センサの検出する温度と前記循環ポンプを停止させた後の経過時間とから前記相関を参照して求まる前記温度センサによる検出水温の予定値と前記温度センサの実測温度との差で補正し、当該補正後の相関に基づき、前記循環ポンプを停止させたままの状態で前記温度センサの検出する水温と前記外気温センサの検出する温度とから前記循環ポンプを停止させた後における浴槽内の水温を推定する
ことを特徴とする請求項５に記載の風呂温度推定装置。
【請求項７】
前記水温推定手段は、循環ポンプの停止時における浴槽内の水温を初期温度とし、これを判断要素の１つに加えて浴槽内の水温を推定する
ことを特徴とする請求項１〜６の何れかに記載の風呂温度推定装置。
【請求項８】
前記循環ポンプの停止時における浴槽内の水温を初期温度とし、前記相関を初期温度毎に予め求めておき、循環ポンプを最近停止させた際の初期温度に対応する相関を用いて浴槽内の水温を推定する
ことを特徴とする請求項２、４または６に記載の風呂温度推定装置。
【請求項９】
浴槽内の水温を風呂設定温度に維持するための追焚動作のオンオフを制御する追焚制御手段を備えた風呂給湯器において、
請求項１から８のいずれかに記載の風呂温度推定装置を有し、
前記追焚制御手段は、循環ポンプを作動させずに前記風呂温度推定装置によって推定した浴槽内の水温に基づいて追焚動作をオンにするか否かを判定する
ことを特徴とする風呂給湯器。
【請求項１０】
風呂の自動運転の可能な風呂給湯器において、
操作の受付部と動作状態の表示部とを有するリモートコントローラと、
前記リモートコントローラの動作モードを、通常モードと前記表示部における表示を非表示もしくは節電状態にした省電力モードとに切り換える省電力モード管理手段と、
請求項１から８のいずれかに記載の風呂温度推定装置とを有し、
前記省電力モード管理手段は、風呂の自動運転がオフになった後における浴槽内の水温を前記風呂温度推定装置によって推定し、その温度が所定の下限温度を下回ったとき、前記リモートコントローラの動作モードを前記省電力モードに切り換える
ことを特徴とする風呂給湯器。
【発明の詳細な説明】
【０００１】
【発明の属する技術分野】
本発明は、浴槽内の水温を推定する風呂温度推定装置およびこれを備えた風呂給湯器に関する。
【０００２】
【従来の技術】
風呂給湯器は、浴槽から本体内の熱交換器を経由して浴槽に戻る追焚循環経路を備え、この追焚循環経路を通じて浴槽水を循環ポンプで強制循環させながらバーナを燃焼させることで、追焚動作を行うように構成されている。また風呂の自動運転中は、浴槽内の水温を間欠的に測定し、水温が保温すべき温度範囲の下限を下回ったとき追焚動作を実行して浴槽水を風呂設定温度に保温するようになっている。
【０００３】
このような風呂給湯器では、浴槽内の水温を検出するとき、循環ポンプを作動させて浴槽内の水を追焚循環経路を通じて風呂給湯器の本体内へ充分引き込んでから、本体内に設けた温度センサで水温を測定するようになっている（たとえば、特許文献１参照）。
【０００４】
【特許文献１】
特開平１０−０８２５６１号公報
【０００５】
【発明が解決しようとする課題】
上述のように、従来から使用されている風呂給湯器では、保温中に浴槽内の水温を測定する際に、それまで停止させていた循環ポンプを作動させるので、追焚循環経路内に停留していた温度の低下した水が浴槽内へ流出してしまう。特に、測定の結果、水温低下が少なく、追焚動作の実行が不要と判断された場合には、浴槽内の水温を下げるだけで加熱が行われないので、水温の低下を助長する結果になっていた。また、循環ポンプを作動させるので、浴槽内の水温を測定するための消費電力が大きかった。
【０００６】
本発明は、このような問題点に着目してなされたもので、浴槽内の水温低下を助長することなく、しかも少ない消費電力で浴槽内の水温を求めることのできる風呂温度推定装置およびこれを用いた風呂給湯器を提供することを目的としている。
【０００７】
【課題を解決するための手段】
かかる目的を達成するための本発明の要旨とするところは、次の各項の発明に存する。
［１］浴槽内の水温を推定する風呂温度推定装置において、
風呂給湯器（１０）の加熱部（２２）を経由して浴槽水を循環させるための追焚循環経路（４１、４０、４２）のうち、前記風呂給湯器（１０）の本体（２０）内部に存する部分に取り付けた温度センサ（４４）と、
浴槽内の水温を推定する水温推定手段（５４）とを備え、
前記水温推定手段（５４）は、前記追焚循環経路（４１、４０、４２）を通じて浴槽水を循環させる循環ポンプ（４３）を停止させた後における浴槽内の水温を、前記循環ポンプ（４３）を停止させたままの状態で前記温度センサ（４４）の検出する水温に基づいて推定する
ことを特徴とする風呂温度推定装置。
【０００８】
［２］前記水温推定手段（５４）は、前記循環ポンプ（４３）を停止させた後における浴槽内の水温の降下特性と前記温度センサ（４４）の検出する水温の降下特性との相関であって予め求めたものに基づいて、前記循環ポンプ（４３）を停止させたままの状態で前記温度センサ（４４）の検出する水温から前記循環ポンプ（４３）を停止させた後における浴槽内の水温を推定する
ことを特徴とする［１］に記載の風呂温度推定装置。
【０００９】
［３］浴槽内の水温を推定する風呂温度推定装置において、
風呂給湯器（１０）の加熱部（２２）を経由して浴槽水を循環させるための追焚循環経路（４１、４０、４２）のうち、前記風呂給湯器（１０）の本体（２０）内部に存する部分に取り付けた温度センサ（４４）と、
外気温度を検出する外気温センサ（４７）と、
浴槽内の水温を推定する水温推定手段（５４）とを備え、
前記水温推定手段（５４）は、前記追焚循環経路（４１、４０、４２）を通じて浴槽水を循環させる循環ポンプ（４３）を停止させた後における浴槽内の水温を、前記循環ポンプ（４３）を停止させたままの状態で前記温度センサ（４４）の検出する水温と前記外気温センサ（４７）の検出する外気温度に基づいて推定する
ことを特徴とする風呂温度推定装置。
【００１０】
［４］前記水温推定手段（５４）は、前記循環ポンプ（４３）を停止させた後における浴槽内の水温の降下特性と前記温度センサ（４４）の検出する水温の降下特性との相関であって外気温度別に予め求めたものに基づいて、前記循環ポンプ（４３）を停止させたままの状態で前記温度センサ（４４）の検出する水温と前記外気温センサ（４７）の検出する外気温度とから前記循環ポンプ（４３）を停止させた後における浴槽内の水温を推定する
ことを特徴とする［３］に記載の風呂温度推定装置。
【００１１】
［５］浴槽内の水温を推定する風呂温度推定装置において、
風呂給湯器（１０）の加熱部（２２）を経由して浴槽水を循環させるための追焚循環経路（４１、４０、４２）のうち、前記風呂給湯器（１０）の本体（２０）内部に存する部分に取り付けた温度センサ（４４）と、
外気温度を検出する外気温センサ（４７）と、
前記追焚循環経路（４１、４０、４２）を通じて浴槽水を循環させる循環ポンプ（４３）を停止させた後の経過時間を計測する計時手段（５３）と
浴槽内の水温を推定する水温推定手段（５４）とを備え、
前記水温推定手段（５４）は、前記循環ポンプ（４３）を停止させた後における浴槽内の水温を、前記循環ポンプ（４３）を停止させたままの状態で前記温度センサ（４４）の検出する水温と前記外気温センサ（４７）の検出する外気温度と前記計時手段（５３）の計時する経過時間とに基づいて推定する
ことを特徴とする風呂温度推定装置。
【００１２】
［６］前記水温推定手段（５４）は、前記循環ポンプ（４３）を停止させた後における浴槽内の水温の降下特性と前記温度センサ（４４）の検出する水温の降下特性との相関であって外気温度別に予め求めたものを、前記外気温センサ（４７）の検出する温度と前記循環ポンプ（４３）を停止させた後の経過時間とから前記相関を参照して求まる前記温度センサ（４４）による検出水温の予定値と前記温度センサ（４４）の実測温度との差で補正し、当該補正後の相関に基づき、前記循環ポンプ（４３）を停止させたままの状態で前記温度センサ（４４）の検出する水温と前記外気温センサ（４７）の検出する外気温度とから前記循環ポンプ（４３）を停止させた後における浴槽内の水温を推定する
ことを特徴とする［５］に記載の風呂温度推定装置。
【００１３】
［７］前記水温推定手段（５４）は、循環ポンプ（４３）の停止時における浴槽内の水温を初期温度とし、これを判断要素の１つに加えて浴槽内の水温を推定する
ことを特徴とする［１］〜［６］の何れかに記載の風呂温度推定装置。
【００１４】
［８］前記循環ポンプ（４３）の停止時における浴槽内の水温を初期温度とし、前記相関を初期温度毎に予め求めておき、循環ポンプ（４３）を最近停止させた際の初期温度に対応する相関を用いて浴槽内の水温を推定する
ことを特徴とする［２］、［４］または［６］に記載の風呂温度推定装置。
【００１５】
［９］浴槽内の水温を風呂設定温度に維持するための追焚動作のオンオフを制御する追焚制御手段（５２）を備えた風呂給湯器（１０）において、
［１］から［８］のいずれかに記載の風呂温度推定装置を有し、
前記追焚制御手段（５２）は、循環ポンプ（４３）を作動させずに前記風呂温度推定装置によって推定した浴槽内の水温に基づいて追焚動作をオンにするか否かを判定する
ことを特徴とする風呂給湯器（１０）。
【００１６】
［１０］風呂の自動運転の可能な風呂給湯器（１０）において、
操作の受付部と動作状態の表示部とを有するリモートコントローラと、
前記リモートコントローラの動作モードを、通常モードと前記表示部における表示を非表示もしくは節電状態にした省電力モードとに切り換える省電力モード管理手段と、
［１］から［８］のいずれかに記載の風呂温度推定装置とを有し、
前記省電力モード管理手段は、風呂の自動運転がオフになった後における浴槽内の水温を前記風呂温度推定装置によって推定し、その温度が所定の下限温度を下回ったとき、前記リモートコントローラの動作モードを前記省電力モードに切り換える
ことを特徴とする風呂給湯器（１０）。
【００１７】
次に、前記各項に記載された発明の作用について説明する。
水温推定手段（５４）は、追焚循環経路（４１、４０、４２）を通じて浴槽水を循環させる循環ポンプ（４３）を停止させた後における浴槽内の水温（以後、浴槽水温度ともいう）を、循環ポンプ（４３）を停止させたままの状態で本体（２０）内に設けた温度センサ（４４）の検出する水温（以後、検出水温ともいう）に基づいて推定する。
【００１８】
この温度センサ（４４）は、浴槽から離れた箇所に取り付けられているので、浴槽内の水温を直接的に示すものではない。しかしながら、循環ポンプ（４３）を停止させた後における浴槽内の水温の降下特性と温度センサ（４４）の取付箇所における水温の降下特性との間には一定の相関がある。そこで、浴槽内の水温の降下特性と温度センサ（４４）の検出する水温の降下特性とを予め測定してこれらの相関を求めておき、循環ポンプ（４３）を停止させたままの状態で温度センサ（４４）によって実測した水温で先の相関を参照することにより、現時点での浴槽内の水温を推定している。この際、循環ポンプ（４３）の停止時における浴槽水の初期温度や外気温度をそれらの代表的な温度（たとえば、初期温度４２℃、外気温度１５℃）に仮定することで、温度センサ（４４）の検出する水温のみに基づいて浴槽水温度を推定することができる。
【００１９】
このように風呂給湯器（１０）の本体（２０）から離れている浴槽内の水温を、循環ポンプ（４３）を作動させることなく求めることができるので、浴槽内の水温低下を助長することなく、しかも少ない消費電力で浴槽水温度を測定することができる。
【００２０】
外気温度を検出する外気温センサ（４７）をさらに有するものでは、水温推定手段（５４）は、循環ポンプ（４３）を停止させた後における浴槽内の水温を、温度センサ（４４）の検出する水温と外気温センサ（４７）の検出する外気温度の双方に基づいて推定する。たとえば、水温推定手段（５４）は、循環ポンプ（４３）を停止させた後における浴槽水温度の降下特性と温度センサ（４４）の検出水温の降下特性との相関を外気温度別に予め求めておく。そして外気温センサ（４７）の実測する現在の外気温度に対応する相関を選択し、循環ポンプ（４３）を停止させたままの状態で温度センサ（４４）により実測した水温で先の相関を参照することにより、現時点での浴槽内の水温を推定する。このように、外気温度をパラーメータに加えて浴槽内の水温を推定するので、水温の推定精度を高めることができる。
【００２１】
また、温度センサ（４４）の検出する水温と、外気温センサ（４７）の検出する外気温度と、計時手段（５３）の計時する循環ポンプ停止後の経過時間とに基づいて浴槽水温度を推定するものでは、風など外乱の影響を排除してより高い精度で水温を推定することができる。たとえば、循環ポンプ（４３）を停止させた後における浴槽水温度の降下特性と温度センサ（４４）の検出水温の降下特性との相関を外気温度別に予め求めておき、実測した現在の外気温度に対応する相関を循環ポンプ停止後の経過時間で参照することにより、温度センサ（４４）の検出すべき水温の予定値を求める。そして、この予定値の温度と温度センサ（４４）による実測温度との差から先の相関を補正し、当該補正後の相関に基づいて、温度センサ（４４）の検出する水温と外気温センサ（４７）の検出する温度とから浴槽水温度を推定する。
【００２２】
たとえば、風の有無によって、温度センサ（４４）の取付箇所付近における追焚循環経路（４１、４０、４２）内の水温の降下特性が変化するので、計時時間に基づいて求めた水温の予定値と実際の水温との間に差が生じる。そこで、この差に基づいて相関を補正することにより、風などの外乱の影響を相殺し、より正確に浴槽水温度を推定することができる。
【００２３】
循環ポンプ（４３）を停止させた時点での浴槽内の水温を初期温度とし、これを判断要素の１つに加えて浴槽水温度を推定するものでは、風呂設定温度の高低にかかわらず、精度良く浴槽水温度を推定することができる。たとえば、浴槽水温度と検出水温との相関を初期温度別に予め求めておき、これらの中から、循環ポンプ（４３）を停止させた際に温度センサ（４４）の検出する水温や風呂設定温度を初期温度とする相関を選択し、これに基づいて浴槽内の水温を推定する。
【００２４】
追焚動作をオンオフすることで浴槽水を風呂設定温度に保温する機能を備えた風呂給湯器（１０）では、上述した風呂温度推定装置によって推定した浴槽水温度に基づいて追焚動作をオンに制御する。風呂温度推定装置を用いることにより循環ポンプ（４３）を駆動することなく浴槽水温度が求まるので、追焚循環経路（４１、４０、４２）内に停留している温度の低下した水が浴槽水温度の測定時に浴槽へ流出することはない。循環ポンプを作動させて浴槽水温度を測定する従来のものでは、浴槽水温度を測定した結果、追焚動作をオンにする必要がなかった場合には、浴槽内の水温を却って低下させてしまうが、風呂温度推定装置を用いて浴槽水温度を推定するものでは、水温の低下を助長することなく浴槽水温度を取得することができる。また循環ポンプ（４３）を作動させないので、浴槽水温度の測定に伴う消費電力を少なくすることができる。
【００２５】
また、風呂の自動運転がオフになった後における浴槽内の水温を上述した風呂温度推定装置によって推定し、その温度が所定の下限温度を下回ったとき、リモートコントローラの動作モードを省電力モードに切り換える。風呂の自動運転をオンにすると、設定された水位まで設定された温度の湯を自動で浴槽に湯張りし、その後、保温継続時間（たとえば４時間）が経過するまで、その水位および湯温が維持される。しかし、保温継続時間の経過によって風呂の自動運転が終了した後、あるいは手動で風呂の自動運転をオフした後であっても、浴槽内の水温は急に低下しないので、しばらくは入浴可能である。また節約等のために、入浴を終える前に風呂の自動運転を意図的にオフにする利用者もある。
【００２６】
一方、待機中には、リモートコントローラの表示をオフしたり暗くしたりする省電力モードに入るようにした風呂給湯器（１０）がある。このような風呂給湯器（１０）において、風呂の自動運転がオフになった時点ですぐに省電力モードに入ると、まだ入浴可能な水温であるにもかかわらず、リモートコントローラの表示が非表示等になってしまう。そこで、自動運転がオフになった後、人が入浴できない程度まで水温が低下したか否かを検出し、もはや入浴しないと想定される温度まで低下したときリモートコントローラを省電力モードに切り換えることが望ましい。このとき、浴槽水温度を検出するために循環ポンプ（４３）を作動させてしまうと、浴槽内の水温低下を助長してしまう。また循環ポンプ（４３）を作動させることは、省エネルギ化に逆行し、節約のために風呂の自動運転を早めにオフする利用者の意図に反することにもなる。そこで、リモートコントローラを省電力モードに切り換えるための浴槽水温度の検出を風呂温度推定装置で行うことで、上記問題の発生を防止している。
【００２７】
【発明の実施の形態】
以下、図面に基づき本発明の実施の形態を説明する。
本発明の実施の形態にかかる風呂給湯器１０は、水栓やシャワーヘッドに給湯したり浴槽内へ注湯したりする給湯機能と、浴槽内の水を昇温する追焚機能を備えている。また注湯機能と追焚機能とを組み合わせることにより風呂の自動運転を行うようになっている。風呂の自動運転では、浴槽に設定水位まで湯張りするとともに風呂設定温度まで沸き上げる沸上機能と、その後、所定の保温継続時間（たとえば４時間）が経過するまで浴槽水の温度と水位を設定値に維持する保温機能が実行される。また保温継続時間が経過したとき、風呂の自動運転は自動的にオフするようになっている。
【００２８】
風呂給湯器１０は、本体２０と、これに接続される浴室リモートコントローラ１００と台所リモートコントローラ２００とから構成される。浴室リモートコントローラ１００および台所リモートコントローラ２００は本体２０と２芯ケーブルでそれぞれ接続されており、各種の情報を本体２０との間で送受信するようになっている。
【００２９】
風呂給湯器１０の本体２０は、図示省略の燃焼室の下方に配置されたバーナ２１と、このバーナ２１の排気下流（図では上方）に配置された熱交換器２２を備えている。熱交換器２２は、給湯受熱管３０と追焚受熱管４０の双方が共通の缶体を通る、いわゆる一缶二水路型の熱交換器である。熱交換器２２の有する給湯受熱管３０の一端には給水源に通じる給水管３１が接続され、他端には出湯用の水栓等に通じる給湯管３２が接続されている。給水管３１の途中には、通水量を検出するための水量センサ３３が配置してある。水栓が開かれる等によって給湯受熱管３０内の通水を水量センサ３３が検出すると、バーナ２１を点火し、設定温度の湯が出るようにバーナ２１の燃焼量が制御されるようになっている。
【００３０】
熱交換器２２の有する追焚受熱管４０の一端には、浴槽５の中の水を熱交換器２２へ戻すためのふろ戻管４１が接続されている。また追焚受熱管４０の他端には熱交換器２２で加熱された後の湯水を浴槽５へ送り込むためのふろ往管４２が接続されている。ふろ戻管４１および追焚受熱管４０、ふろ往管４２により、浴槽内の湯水を風呂給湯器の加熱部（熱交換器２２）を経由して循環させるための追焚循環経路が構成される。
【００３１】
本体２０の内部であってふろ戻管４１の途中には、浴槽５の中の水を追焚循環経路を通じて強制的に循環するための循環ポンプ４３が設けてある。また循環ポンプ４３の近傍には、追焚循環経路内の水温を検出する温度センサ４４のほか、図示省略の水位センサ、ふろ水流スイッチ、ふろサーミスタが取り付けてある。循環ポンプ４３を駆動することで浴槽５の中の水は、ふろ戻管４１、追焚受熱管４０、ふろ往管４２をこの順に経由して浴槽５へ戻る。循環ポンプ４３の駆動と同時にバーナ２１を燃焼させることで、風呂の追焚動作は実行される。
【００３２】
給湯管３２とふろ戻管４１は、注湯連絡管４５によって接続されている。注湯連絡管４５の途中には、電磁弁４６が設けてある。通常、電磁弁４６は閉止されている。電磁弁４６を開くと、給水源からの水が、給水管３１、給湯受熱管３０、給湯管３２、注湯連絡管４５を経由してふろ戻管４１およびふろ往管４２へ流れ込み、やがて浴槽５へ流出する。浴槽５への注湯動作は、電磁弁４６を開き、バーナ２１を燃焼させることで行われる。
【００３３】
本体２０のケース内側には、外気温度を検出するための外気温センサ４７が取り付けてある。外気温センサ４７は、バーナ２１の燃焼による温度変化の影響を受けない箇所に取り付けてある。このほか風呂給湯器１０の本体２０は、出湯温度を検出するための出湯サーミスタ、バーナ２１への給排気を行うための燃焼ファン、バーナ２１へ燃焼ガスを供給するためのガス供給管、バーナ２１への燃焼ガスの供給をオンオフするガス電磁弁、供給するガス量を調整するためのガス比例弁などを備えている。
【００３４】
さらに本体２０は、風呂給湯器１０の動作を統括制御する制御部５０を備えている。制御部５０は、各種制御の中枢的役割を果たすＣＰＵ（中央処理装置）と、プログラムや各種の固定的データを記憶するＲＯＭ（リード・オンリ・メモリ）と、プログラムを実行する上で一時的に必要となるデータを記憶するためのＲＡＭを主要部として構成されている。制御部５０には、前述した循環ポンプ４３、温度センサ４４、外気温センサ４７、水量センサ３３、電磁弁４６のほか、各種のセンサや電磁弁等が電気的に接続されている。また制御部５０には、浴室に設置された浴室リモートコントローラ１００と台所に設置された台所リモートコントローラ２００がそれぞれ２芯ケーブルを介して接続されている。
【００３５】
制御部５０は、バーナ２１の燃焼を制御する燃焼制御手段５１と、風呂の自動運転を管理する風呂自動運転管理部５２と、保温継続時間や追焚動作停止後の経過時間などを計測する計時手段５３としての機能を備えている。また制御部５０は、循環ポンプ４３を作動させずに浴槽水温度を推定する水温推定手段５４と、浴室リモートコントローラ１００および台所リモートコントローラ２００の表示を非表示に切り換えることによって節電を図る省電力モード管理手段５５と、浴室リモートコントローラ１００や台所リモートコントローラ２００と各種情報の送受信を行う通信手段５６としての機能を備えている。
【００３６】
水温推定手段５４は、温度センサ４４の検出する水温と浴槽内の水温との関係を登録した参照テーブル５７を備えている。参照テーブル５７は、浴槽内の水温（浴槽水温度）と温度センサ４４の検知する水温（検出水温）とが一致している状態を初期状態とし、その後の時間経過に伴う浴槽水温度の降下特性と検出水温の降下特性との相関関係を予め調べて登録したものである。
たとえば、器具が設置されて使用が開始されてから一定期間（たとえば半年間）は、外気温度が特定の温度になったとき、浴槽水温度の降下特性と検出水温の降下特性との相関を調べるようにする。より詳細には、外気温度が１５℃で、温度センサ４４の検出温度が４０℃となった場合に循環ポンプ４３をオンにして浴槽５内の水温を実測する。かかる動作を、外気温度が同一という条件の下で、温度センサ４４の検出温度が３８℃の時、３６℃の時のように次々と異なる温度で行うことで上記した相関を求める。さらに、上記した一連の測定を数回行った平均値を取得し、これを実際に使用する相関関係として登録する。浴槽が設置された場所がマンションなのか一戸建てなのか、さらにはユニットバスか在来工法の浴室なのかに依存して放熱状態が異なるので、器具設置後に相関を測定することで、設置環境の違いによる誤差が低減される。なお、上記した相関関係の実測は、外気温度を変えて複数種類行われる。
【００３７】
図２は、浴槽水温度および温度センサ４４による検出水温の時間経過に伴う降下特性の一例を示している。循環ポンプ４３を作動させて浴槽５内の水を追焚循環経路に循環させている状態から循環ポンプ４３を停止させた時点を初期状態とし、その後の経過時間に対する浴槽水温度の降下特性３０１、３０２と検出水温の降下特性３０３、３０４を示している。なお、実線の降下特性３０１、３０３は外気温度が１５℃の場合を、点線の降下特性３０２、３０４は外気温度が５℃の場合を表している。この例では、外気温度が１５℃の場合には、浴槽水温度が３８℃に下がるまでにＴ２時間（たとえば３０分）かかり、そのときの検出水温は３０℃になっている。また外気温度が５℃の場合には、浴槽水温度が３８℃に下がるまでにＴ１時間（たとえば２０分）を要し、そのときの検出水温は２６℃になっている。
【００３８】
図２に示すようなグラフを、初期温度と外気温度を色々と変えて測定し、これらの測定結果に基づいて浴槽水温度と検出水温との対応関係を表した参照テーブル５７を初期温度別、外気温度別に作成して、水温推定手段５４に登録してある。図３は、初期温度４２℃、外気温度１５℃の場合における参照テーブル５７の一例を示している。本実施の形態では、初期温度を３７℃〜４８℃の範囲で０．５℃毎に、外気温度を５℃から３５℃の範囲で５℃毎にそれぞれ変化させた場合に対応する各種の参照テーブルを作成して登録してある。
【００３９】
水温推定手段５４は、循環ポンプ４３を停止させたときに温度センサ４４の検出する水温を初期温度とし、かつそのとき外気温センサ４７の検出する温度を外気温度として、これらに対応する参照テーブル５７を選択し、その後は、温度センサ４４の検出する検出水温でこの参照テーブル５７を参照することにより浴槽水温度の推定値を求めるようになっている。なお、風呂の自動運転中においては、風呂設定温度を参照テーブルを選択するための初期温度としてもよい。
【００４０】
浴室リモートコントローラ１００は、人の操作を受け付けるための複数のスイッチ１１１〜１２６と、情報を表示するための複数の表示部１３１〜１４９と、スイッチに内蔵されたランプ１５１〜１５４と、運転ランプ１５５と、マイクの機能を兼ねたスピーカ１０１と、浴室リモートコントローラ１００の動作を統轄制御する制御部１６０とを有している。制御部１６０は、ＣＰＵ、ＲＯＭ、ＲＡＭを主要部とする回路で構成されている。制御部１６０は、浴室リモートコントローラ１００の動作を統括制御するものであり、各スイッチ１１１〜１２６の操作を受け付ける操作管理部１６１と、表示部１３１〜１４９の表示内容およびランプ１５１〜１５５の点灯を制御する表示制御部１６２と、本体２０との間で通信を行う通信手段１６３を備えている。
【００４１】
図４は、浴室リモートコントローラ１００の外観をその正面から表したものである。リモートコントローラは、呼び出しスイッチ１１１と、優先スイッチ１１２と、おいだきスイッチ１１３と、自動スイッチ１１４を有している。また詳細設定用に、給湯アップスイッチ１１５と、給湯ダウンスイッチ１１６と、湯量アップスイッチ１１７と、湯量ダウンスイッチ１１８と、ふろ温度アップスイッチ１１９と、ふろ温度ダウンスイッチ１２０を備えている。このほか、ゆらぎシャワースイッチ１２１と、たし湯スイッチ１２２と、ぬる湯スイッチ１２３と、保温時間スイッチ１２４と、運転スイッチ１２５と、音量スイッチ１２６を有している。これらは図示省略の開閉可能な蓋で通常は覆われている。
【００４２】
呼び出しスイッチ１１１は、浴室内から台所リモートコントローラ２００など他の箇所に設置されたもう１つのリモートコントローラとの間でインターフォン機能を有効にし、かつ相手を呼び出すためのスイッチである。優先スイッチ１１２は、台所リモートコントローラ２００など他の箇所に設置されたリモートコントローラよりも当該浴室リモートコントローラ１００で設定した給湯設定温度を優先するためのスイッチである。おいだきスイッチ１１３は、風呂の追焚動作の開始や停止を指示するためのスイッチである。
【００４３】
自動スイッチ１１４は、風呂の自動運転の開始や停止を行うためのスイッチである。風呂の自動運転をオンにすると、設定された水位まで設定された温度の湯を自動で浴槽５に湯張りし、かつその温度および水位を設定された保温継続時間（たとえば４時間）が経過するまで維持するように風呂給湯器１０が動作する。
【００４４】
給湯アップスイッチ１１５は、給湯設定温度を上げるためのスイッチであり、給湯ダウンスイッチ１１６は、給湯設定温度を下げるためのスイッチである。湯量アップスイッチ１１７は、浴槽設定水位を上げるためのスイッチであり、湯量ダウンスイッチ１１８は、浴槽設定水位を下げるためのスイッチである。ふろ温度アップスイッチ１１９は、ふろを保温する際の設定温度を上げるためのスイッチであり、ふろ温度ダウンスイッチ１２０は、同温度を下げるためのスイッチである。
【００４５】
ゆらぎシャワースイッチ１２１は、シャワーの勢いを、人に心地よいとされるＦ分の１の揺らぎで変化させるためのスイッチである。たし湯スイッチ１２２は、浴槽にたし湯するためのスイッチである。ぬる湯スイッチ１２３は、浴槽に水を入れて湯温を下げるためのスイッチである。保温時間スイッチ１２４は、自動運転中の保温継続時間を変更するためのスイッチである。運転スイッチ１２５は、本体２０の運転をオンオフするためのメインスイッチである。音量スイッチ１２６は、先に説明したインターフォン機能を作動させた際に、相手方からの声の大きさを変更するためのスイッチである。音量スイッチ１２６の左横には、マイクとしても機能するスピーカが内蔵されている。
【００４６】
浴室リモートコントローラ１００が備える多数の表示部のうち、給湯に関する項目の表示部としては、給湯設定温度の設定において台所リモートコントローラ２００など他のリモートコントローラより優先される状態にあることを「優先」の文字で表示する優先表示部１３１と、シャワーの勢いが揺らぎに設定されていることを「ゆらぎ」の文字で表示するゆらぎ表示部１３２と、炎の絵柄を変動させて給湯側の燃焼を通知する給湯燃焼表示部１３３と、給湯設定温度を数字で表示する給湯設定温度表示部１３４がある。
【００４７】
風呂に関する項目を表示する表示部としては、自動運転が予約中であることを「予約」の文字で表示する予約表示部１４１と、現在時刻もしくは予約時刻を表示する時刻表示部１４２と、炎の絵柄を変動させて風呂側の燃焼を通知する風呂燃焼表示部１４３と、風呂の設定温度を表示する風呂設定温度表示部１４４とがある。さらに、浴槽の設定水位を表示する水位表示部１４５と、風呂の保温中であることを「保温」の文字で表示する保温表示部１４６と、浴槽に水または湯を注水中もしくは追焚中であることを矢印の点滅で表示する矢印表示部１４７と、水の注水中であることを「水」の文字で表示する水表示部１４８と、湯の注水中であることを「湯」の文字で表示する湯表示部１４９を備えている。
【００４８】
これらの表示部は、それぞれ独立した蛍光表示管で構成されており、独立に点灯・消灯可能になっている。さらに、呼び出しスイッチ１１１、優先スイッチ１１２、おいだきスイッチ１１３、自動スイッチ１１４にはそれぞれ個別のランプ１５１〜１５４が内蔵されている。運転ランプ１５５は、風呂給湯器１０が運転オンの状態であることを示すものである。
【００４９】
台所リモートコントローラ２００は、浴室リモートコントローラ１００と同様に、スイッチ、ランプ、スピーカ、表示部および制御部を備えており、それらの説明は省略する。なお、台所リモートコントローラ２００においては、風呂の自動運転スイッチを除き、風呂に関連するスイッチや表示部は省略されている。
【００５０】
本体２０の制御部５０が有する省電力モード管理手段５５は、浴室リモートコントローラ１００および台所リモートコントローラ２００の動作モードを、表示が通常通り行われる通常モードと非表示になる省電力モードとに切り換える機能を有している。省電力モードにおいて、浴室リモートコントローラ１００および台所リモートコントローラ２００は、運転ランプ１５５を除いて非表示になる。通常モードでは、給湯設定温度表示部１３４、風呂設定温度表示部１４４、水位表示部１４５は常時オンになり、その他の表示項目は必要に応じてオンになる。たとえば優先スイッチ１１２の操作によって優先状態になると優先表示部１３１がオンになり、かつ優先スイッチ１１２に内蔵したランプがオンになる等である。
【００５１】
省電力モード管理手段５５は、器具の運転がオンになっており、かつ出湯などに基づく燃焼動作の行われていない待機中は、浴室リモートコントローラ１００および台所リモートコントローラ２００の双方を省電力モードにする。なお省電力モード中に何らかのスイッチ操作があると一時的に（たとえば３分間）通常モードに復帰し、その後、再び省電力モードに戻るように動作モードが制御される。また待機中に出湯が始まると通常モードに復帰する。また、出湯が停止し、待機中に戻ってから所定時間（たとえば１０分）が経過すると、再び省電力モードへ移行するようになっている。
【００５２】
省電力モード管理手段５５は、風呂の自動運転中においては、人の入浴可能な状態に沸き上げるまで浴室リモートコントローラ１００を省電力モードに設定する。そして、人が入浴可能な状態になったとき、すなわち、沸上完了時または沸上完了の少し前（たとえば５分前）になったとき、浴室リモートコントローラ１００の動作モードを通常モードに切り換える。さらに保温継続時間が経過して風呂の自動運転がオフになったとき、もしくは手動のスイッチ操作によって風呂の自動運転がオフになったときには、その後、人が入浴しないと想定される温度まで浴槽水温度が低下したとき初めて浴室リモートコントローラ１００の動作モードを通常モードから省電力モードに切り換えるようになっている。このような切換は、自動運転がオフになっても浴槽水温度は急に低下しないので、まだ人の入浴する可能性があり、そのような利用者の便宜を図るためである。
【００５３】
図５は、風呂の自動運転がオンにされた場合における風呂給湯器１０の動作の流れを示している。風呂給湯器１０は、風呂の自動運転のオンされると、沸上動作を開始する（ステップＳ４０１）。すなわち、浴槽５内の水位が風呂設定水位となり、浴槽水温度が風呂設定温度となるように注湯動作および追焚動作を行う。さらに沸上動作が完了すると（ステップＳ４０２；Ｙ）、それまで省電力モードに設定した浴室リモートコントローラ１００の動作モードを通常モードに切り換える（ステップＳ４０３）。沸上動作の完了後は、自動運転がオフになるまで浴槽水の保温が行われる。保温中は、追焚動作の実行中を除いて循環ポンプ４３はオフされる（ステップＳ４０４）。
【００５４】
水温推定手段５４は、保温開始時に温度センサ４４の検出する水温を初期温度として取得するとともに外気温センサ４７の検出する外気温度を取得し、この初期温度と外気温度に対応する参照テーブル５７を選択する。そして、選択した参照テーブル５７を温度センサ４４の検出水温で参照して、浴槽水温度の推定値を取得する（ステップＳ４０６）。この推定動作は、連続的に、あるいは数十秒から数分の周期で繰り返し行われる。
【００５５】
上述のようにして推定した浴槽水温度が保温すべき温度範囲の下限以下になると（ステップＳ４０７；Ｙ）、バーナ２１と循環ポンプ４３をオンにして追焚動作を実行する（ステップＳ４０８）。温度センサ４４の検出する水温が風呂設定温度まで昇温したとき、バーナ２１と循環ポンプ４３をオフにして追焚動作を停止する（ステップＳ４１０）。その後、ステップＳ４０５に戻り、初期温度と外気温度の現在値を取得し（ステップＳ４０５）、これらに対応する参照テーブル５７を改めて選択して浴槽水温度の推定動作を行う（ステップＳ４０６）。なお、保温すべき温度範囲の下限は、風呂設定温度マイナス２℃のように、風呂設定温度を基準として相対的に定めたものである。
【００５６】
推定した浴槽水温度が保温すべき温度範囲の下限より高い場合には（ステップＳ４０７；Ｎ）、風呂の自動運転が保温継続時間の経過もしくは手動操作によってオフされたか否かを調べ、オフでないときは（ステップＳ４１１；Ｎ）、ステップＳ４０６に戻って浴槽水温度の推定動作を継続する。風呂の自動運転がオフになったときは（ステップＳ４１１；Ｙ）、浴槽水温度の推定動作を、その推定値が入浴下限温度以下になるまで継続する（ステップＳ４１２、４１３；Ｎ）。推定値が入浴下限温度以下になると（ステップＳ４１３；Ｙ）、浴室リモートコントローラ１００の表示を省電力モードに変更して（ステップＳ４１４）、風呂の自動運転にかかわる一連の動作を終了する（エンド）。なお入浴下限温度は、風呂設定温度を基準にして、そのマイナス３℃のように相対的に設定しても良いし、風呂設定温度と無関係な一定の温度（たとえば３６℃）としてもよい。
【００５７】
このように循環ポンプ４３を停止させた状態のままで浴槽水温度を推定するので、追焚循環経路内で温度の低下した水が浴槽内へ流出することなく浴槽水温度を調べることができ、浴槽水温度の取得に起因して浴槽内の水温を低下させることがない。その結果、たとえば、短い周期で何度も浴槽水温度を調べることができ、保温中における浴槽水温度の変動範囲を小さく抑えることが可能になる。また循環ポンプ４３を作動させないので浴槽水温度を調べるための消費電力が少なく、省エネルギに貢献する。
【００５８】
特に、自動運転がオフした後に循環ポンプ４３を作動させて浴槽水温度を実測すると、浴槽水温度の低下を助長するとともに、省エネルギに逆行し、折角、節約のために早めに手動で風呂の自動運転をオフにした利用者の意図に反する結果になってしまうが、本実施の形態ではこのような不具合が生じない。
【００５９】
上記の例では、初期温度と外気温度に基づいて参照テーブルを選択し、これを実測した検出温度で参照することによって浴槽水温度の推定値を取得したが、このほかにも浴槽水温度の推定方法は多々あり、それらについて以下に説明する。
（１）温度センサ４４の検出水温のみに基づいて浴槽水温度を推定する。
この方法では、初期温度と外気温度を標準的な代表値に固定的に定める。たとえば初期温度４２℃、外気温度１５℃を代表値として定め、これらに対応する参照テーブルだけを用意しておく。この参照テーブルを温度センサ４４の検出水温で参照することにより、浴槽水温度の推定値を取得する。
（２）温度センサ４４の検出水温と初期温度に基づいて浴槽水温度を推定する。
この方法では、外気温度を標準的な代表値（たとえば１５℃）に固定的に定めておき、参照テーブルは、初期温度別に用意する。循環ポンプを停止した時点の初期温度に基づいて参照テーブルを選択し、当該参照テーブルを温度センサ４４の検出水温で参照することにより、浴槽水温度の推定値を取得する。
（３）温度センサ４４の検出水温と外気温度に基づいて浴槽水温度を推定する。
この方法では、初期温度を標準的な代表値（たとえば４２℃）に固定的に定めておき、参照テーブルは外気温度別に用意する。循環ポンプを停止した時点での外気温度を実測し、これに基づいて参照テーブルを選択し、当該参照テーブルを温度センサ４４の検出水温で参照することにより、浴槽水温度の推定値を取得する。
（４）温度センサ４４の検出水温と外気温度と循環ポンプ停止後の経過時間に基づいて浴槽水温度を推定する。
初期温度別、外気温度別に、浴槽水温度と検出水温と経過時間との対応関係を表した参照テーブルを用意する。そして、外気温センサ４７によって実測した外気温度と循環ポンプ停止時における初期温度とに対応する参照テーブルを選択し、これを現在の経過時間で参照して温度センサ４４の検出すべき温度の予定値を求める。そして、この予定値と温度センサ４４により実測した検出水温との差を求め、参照テーブルから導出される浴槽水温度をこの差に基づいて補正する。
【００６０】
本体２０の付近での風の有無などの外乱の影響により温度センサ４４の取付箇所付近における追焚循環経路内の水温の降下特性は変化するので、参照テーブルを経過時間で参照して求めた水温の予定値と実測の水温との間に差が生じる。たとえば、予定値より大幅に実測水温が低い場合には、強い地風が器具に吹きつけている等の事態が推定される。そこで、この差に基づく補正を施すことで、風の有無など外乱の影響が相殺されたより正確な浴槽水温度を推定することが可能になる。
【００６１】
補正の方法としては、たとえば、経過時間に基づいて求めた検出水温の予定値と温度センサ４４による実測の水温とが一致する参照テーブルを、外気温度の異なるものの中から選択し、この参照テーブルを温度センサ４４による実測の検出水温で参照することによって浴槽水温度の推定値を求める等がある。
【００６２】
以上、本発明の実施の形態を図面によって説明してきたが、具体的な構成はこれに限られるものではなく、本発明の要旨を逸脱しない範囲における変更や追加があってもかまわない。実施の形態では、循環ポンプを停止させた後における浴槽内の水温の降下特性と温度センサの検出する水温の降下特性との相関関係を参照テーブルに記憶し、これを参照して浴槽水温度を推定したが、推定方法はこれに限定されるものではない。たとえば、浴槽水温度と検知水温等との関係を回帰近似などの近似式で近似しておき、当該近似式に実測した検知水温を代入する等によって浴槽水温度の推定値を求めてもよい。
【００６３】
また外気温度の測定に代えて、夏、冬などの季節に応じて参照テーブルを切り換えるように構成してもよい。季節にかかわる情報は、たとえば日付機能を有する時計ＩＣから取得するとよい。このほか、外気温度を直接測定しない場合には、本体２０が屋内設置か屋外設置か、さらには寒冷地仕様か否かによって参照テーブルを切り換えるように構成してもよい。また循環ポンプを停止させた時点での浴槽内の水温を初期温度とすることに代えて、リモートコントローラ等において設定された風呂設定温度を用いてもかまわない。
また浴槽水温度の推定値をリモートコントローラの省電力モード切換に利用する場合には、節電効果として、一日中、リモートコントローラの表示がオンになっていなければ充分であるという利用法もある。かかる場合には、浴槽水温度の推定値に対して、ある程度の誤差（たとえば数℃）が許容される。したがって、浴槽内の水温の降下特性と温度センサの検出する水温の降下特性とを予め測定してこれらの相関を求める作業は、器具の工場出荷時に行って初期設定するだけでも充分である。
【００６４】
浴槽水温度を推定する機能の用途は実施の形態で示したものに限定されない。たとえば、風呂の自動運転終了後に浴槽水温度をガイド表示するために利用してもよい。これにより、利用者は、風呂にまだ入浴可能か否かを判断したり、入浴終了予定時刻の何分前から風呂の自動運転を手動オフすべきかの目安をつけることができる。
【００６５】
さらに、予め用意した参照テーブルの値を実測値に基づいて自動的に補正するように構成するとよい。すなわち、浴槽水温度の推定後に追焚動作を実行する場合には、実際に循環ポンプを動かして浴槽水を取り込むので、浴槽内の水が温度センサ４４の箇所まで到達したであろうタイミングで水温を温度センサ４４によって実測し、この実測温度と推定した温度との差に基づいて参照テーブルを補正する。補正は、差の分だけ参照テーブルから得た推定値にオフセットをかける等によって行う。また浴槽内の水が温度センサ４４の箇所に到達するタイミングは、たとえば、循環ポンプを作動させた後の水温を連続的に実測し、水温が上昇し始めた時点として捉えることができる。また追焚循環経路の長さと循環ポンプの能力とから上記タイミングを把握するようにしてもよい。
【００６６】
このほか、省電力モードにおける表示項目は、通常モードに比べて節電できるものであればよく、実施の形態で例示したものに限定されない。また省電力モードでの動作は、蛍光管表示等を消灯するだけでなく、減光したり、液晶表示の場合ではバックライトのみを減光・消灯したり、照光スイッチやその他のＬＥＤやランプ等も減光・消灯したり、音声案内の音声をなくしたりするなど、リモートコントローラでの節電に貢献するものであれば、いかなるものであってもよい。
【００６７】
【発明の効果】
本発明にかかる風呂温度推定装置およびこれを用いた風呂給湯器によれば、循環ポンプを作動させることなく、風呂給湯器の本体から離れた浴槽内の水温を本体内部に設けた温度センサの検出する水温に基づいて推定するので、浴槽水温度の測定に起因して浴槽内の水温低下を助長することがないとともに、水温測定に伴う消費電力を低減することができる。
【００６８】
また循環ポンプ停止時の初期温度、外気温度、循環ポンプ停止後の経過時間などをパラーメータに加えて浴槽内の水温を推定するものでは、より高い精度で浴槽水温度が推定される。
【００６９】
推定した浴槽水温度に基づいて風呂の自動運転中における追焚動作のオン制御を行うものでは、浴槽水の温度低下を助長することなく、追焚動作オンのタイミングを把握することができる。また保温中の水温監視に伴う消費電力が低減する。
【００７０】
さらに風呂の自動運転がオフになった後における浴槽内の水温を風呂温度推定装置によって推定し、その温度が所定の下限温度を下回ったとき、浴室リモートコントローラを省電力モードに切り換えるものでは、浴槽水温度の低下を助長することなく浴槽水温度を把握して、浴室リモートコントローラの表示を適切なタイミングで省電力モードに切り換えることができる。
【図面の簡単な説明】
【図１】本発明の一実施の形態に係る風呂温度推定装置を含む風呂給湯器の構成を示すブロック図である。
【図２】循環ポンプ停止後における浴槽水温度の降下特性と検知水温の降下特性の一例を示す説明図である。
【図３】本発明の一実施の形態に係る風呂給湯器で用いる参照テーブルの一例を示す説明図である。
【図４】本発明の一実施の形態に係る風呂給湯器の有する浴室リモートコントローラを示す正面図である。
【図５】本発明の一実施の形態に係る風呂給湯器の自動運転中における動作を示す流れ図である。
【符号の説明】
５…浴槽
１０…風呂給湯器
２０…本体
２１…バーナ
２２…熱交換器
３０…給湯受熱管
３１…給水管
３２…給湯管
３３…水量センサ
４０…追焚受熱管
４１…ふろ戻管
４２…ふろ往管
４３…循環ポンプ
４４…温度センサ
４５…注湯連絡管
４６…電磁弁
４７…外気温センサ
５０…制御部
５１…燃焼制御手段
５２…風呂自動運転管理部
５３…計時手段
５４…水温推定手段
５５…省電力モード管理手段
５６…通信手段
５７…参照テーブル
１００…浴室リモートコントローラ
１０１…スピーカ
１１１…呼び出しスイッチ
１１２…優先スイッチ
１１３…おいだきスイッチ
１１４…自動スイッチ
１１５…給湯アップスイッチ
１１６…給湯ダウンスイッチ
１１７…湯量アップスイッチ
１１８…湯量ダウンスイッチ
１１９…ふろ温度アップスイッチ
１２０…ふろ温度ダウンスイッチ
１２１…ゆらぎシャワースイッチ
１２２…たし湯スイッチ
１２３…ぬる湯スイッチ
１２４…保温時間スイッチ
１２５…運転スイッチ
１２６…音量スイッチ
１３１…優先表示部
１３２…ゆらぎ表示部
１３３…給湯燃焼表示部
１３４…給湯設定温度表示部
１４１…予約表示部
１４２…時刻表示部
１４３…風呂燃焼表示部
１４４…風呂設定温度表示部
１４５…水位表示部
１４６…保温表示部
１４７…矢印表示部
１４８…水表示部
１４９…湯表示部
１５１〜１５４…ランプ
１５５…運転ランプ
１６０…制御部
１６１…操作管理部
１６２…表示制御部
１６３…通信手段
２００…台所リモートコントローラ
３０１、３０２…浴槽水温度の降下特性
３０３、３０４…検出水温の降下特性
【図１】
2004239500.tif 000003
【図２】
2004239500.tif 000004
【図３】
2004239500.tif 000005
【図４】
2004239500.tif 000006
【図５】
2004239500.tif 000007